(57)【特許請求の範囲】
【請求項１】
メッセージボードを自動販売機の上面に取り付ける自動販売機用メッセージボード取付台において、
前記メッセージボードが先端側に取り付けられ、後端側が前記自動販売機の後面に設けられた転倒防止用ねじ孔に取り付けられる取付部材と、
前記取付部材に取り付けられ、前記取付部材を前記転倒防止用ねじ孔に取り付けたとき、前記自動販売機の前記上面に吸着する磁石とを備えたことを特徴とする自動販売機用メッセージボード取付台。
【発明の詳細な説明】
【０００１】
【発明の属する技術分野】
本発明は、自動販売機用メッセージボード取付台に関し、特に、メッセージボードの取付けが容易で、自動販売機の外観を損ねることのない自動販売機用メッセージボード取付台に関する。
【０００２】
【従来の技術】
従来、自動販売機にメッセージボードを取り付けるには、自動販売機自体に何らかの加工を施して取り付けていた。例えば、自動販売機の上面に穴を開け、メッセージボードをボルトで取り付け、防水のために穴部をシリコンで塗布することにより、メッセージボードを取り付けていた。
【０００３】
【発明が解決しようとする課題】
しかし、従来のメッセージボードの取付け方法によると、自動販売機に加工を施す手間がかかるとともに、外観まで損ねてしまうことになる。
【０００４】
従って、本発明の目的は、メッセージボードの取付けが容易で、自動販売機の外観を損ねることのない自動販売機用メッセージボード取付台を提供することにある。
【０００５】
【課題を解決するための手段】
本発明は、上記目的を達成するため、メッセージボードを自動販売機の上面に取り付ける自動販売機用メッセージボード取付台において、前記メッセージボードが先端側に取り付けられ、後端側が前記自動販売機の後面に設けられた転倒防止用ねじ孔に取り付けられる取付部材と、前記取付部材に取り付けられ、前記取付部材を前記転倒防止用ねじ孔に取り付けたとき、前記自動販売機の前記上面に吸着する磁石とを備えたことを特徴とする自動販売機用メッセージボード取付台を提供する。
上記構成によれば、取付部材の先端側にメッセージボードを取り付け、取付部材の後端側を自動販売機の後面の転倒防止用ねじ孔に取り付け、磁石を自動販売機の上面に吸着させることにより、メッセージボードは、自動販売機の上面に取り付けられる。
【０００６】
【発明の実施の形態】
図１および図２は、本発明の実施の形態に係る自動販売機用メッセージボード取付台を示す。この自動販売機用メッセージボード取付台１は、メッセージボード２を自動販売機１０の上面１１前側に取り付けるものであり、メッセージボード２が先端側に取り付けられ、後端側が自動販売機１０の後面１２に設けられた転倒防止用ねじ孔１３に取り付けられる取付部材群３と、取付部材群３に取り付けられ、取付部材群３を転倒防止用ねじ孔１３に取り付けたとき、自動販売機１０の上面１１に吸着する磁石４とを備える。なお、５はボルト、６はナットを示す。
【０００７】
取付部材群３は、Ｌ字状の左右一対のＬ字部材３０と、Ｌ字部材３０同士を所定の間隔で固定する一対の固定部材３１と、一対のＬ字部材３０の先端側に取り付けられるベース３２と、メッセージボード２をベース３２に固定する固定部材３３とを備える。
【０００８】
Ｌ字部材３０は、垂直部材３０ａと、水平部材３０ｂとからなり、垂直部材３０ａは、転倒防止用ねじ孔１３に対応する位置に取付穴３０ｃを有し、水平部材３０ｂは、その先端側と後端側にＬ字部材３０同士を連結するための連結穴３０ｄと、その先端側にベース３２を取り付けるためのボルト３０ｅとを有する。
【０００９】
固定部材３１は、両端側にＬ字部材３０同士を連結するための連結穴３１ａを有し、固定部材３１同士を連結する連結穴３１ｂを有する。
【００１０】
ベース３２は、Ｌ字部材３０のボルト３０ｅが挿入されるボルト穴３２ａと、固定部材３３が固定されるねじ穴３２ｂと、磁石４を取り付けるための取付穴３２ｃを有する。
【００１１】
固定部材３３は、直角に折曲された板部材３３ａと、補強部材３３ｂとからなり、板部材３３ａはメッセージボード２を固定する固定穴３３ｃと、ベース３２に固定するための固定穴３３ｄとを有する。
【００１２】
磁石４は、ねじ穴４ａを有する。
【００１３】
図３、図４、図５および図６は、取付台１によるメッセージボード２の取付け方法を示す。まず、図３に示すように、一対のＬ字部材３０同士を固定部材３１で固定する。次に、図４に示すように、Ｌ字部材３０を自動販売機の転倒防止用ねじ孔１３に取り付ける。次に、図５に示すように、ベース３２に磁石４を取付け、固定部材３３を取付け、固定部材３３にメッセージボード２を取り付ける。次に、図６に示すように、メッセージボード２、磁石４、固定部材３３が取り付けられたベース３２をＬ字部材３０に取り付ける。これにより、磁石４が自動販売機１０の上面１１に吸着する。このようにしてメッセージボード２が取付台１によって自動販売機１０に取り付けられる。
【００１４】
上述した本実施の形態の取付台１によれば、自動販売機１０に加工を施す必要がないので、メッセージボードを容易に取り付けることができ、外観を損ねることもない。
【００１５】
なお、メッセージボードの向きは、正面に限らず、斜め方向、横方向、後方向等の他の向きでもよい。また、自動販売機の利用するねじ孔は、転倒防止用ねじ孔に限らず、他の用途のねじ孔等、あるは自動販売機に加工を施さない方法なら他の部分を利用してもよい。
【００１６】
【発明の効果】
以上説明した通り、本発明の自動販売機用メッセージボード取付台によれば、自動販売機に加工を施す必要がないので、メッセージボードを容易に取り付けることができ、外観を損ねることもない。
【図面の簡単な説明】
【図１】（ａ）は本発明の実施の形態に係る自動販売機用メッセージボード取付台の平面、（ｂ）はその正面図、（ｃ）は側面図である。
【図２】本発明の実施の形態に係る自動販売機用メッセージボード取付台の斜視図である。
【図３】本発明の実施の形態に係る自動販売機用メッセージボード取付台によるメッセージボードの取付方法を説明するための斜視図である。
【図４】本発明の実施の形態に係る自動販売機用メッセージボード取付台によるメッセージボードの取付方法を説明するための斜視図である。
【図５】本発明の実施の形態に係る自動販売機用メッセージボード取付台によるメッセージボードの取付方法を説明するための斜視図である。
【図６】本発明の実施の形態に係る自動販売機用メッセージボード取付台によるメッセージボードの取付方法を説明するための斜視図である。
【符号の説明】
１  自動販売機用メッセージボード取付台
２  メッセージボード
３  取付部材群
４  磁石
４ａ  ねじ穴
１０  自動販売機
１１  上面
１２  後面
１３  転倒防止用ねじ孔
３０  Ｌ字部材
３０ａ  垂直部材
３０ｂ  水平部材
３０ｃ  取付穴
３０ｄ  連結穴
３０ｅ  ボルト
３１  固定部材
３１ａ  連結穴
３１ｂ  連結穴
３２  ベース
３２ａ  ボルト穴
３２ｂ  ねじ穴
３２ｃ  取付穴
３３  固定部材
３３ａ  板部材
３３ｂ  補強部材
３３ｃ  固定穴
３３ｄ  固定穴
【図１】
0004505153.tif 000002
【図２】
0004505153.tif 000003
【図３】
0004505153.tif 000004
【図４】
0004505153.tif 000005
【図５】
0004505153.tif 000006
【図６】
0004505153.tif 000007